(57)【要約】【課題】内容物を注出させる操作と同時に内容物の注出量を確認できるようにして、内容物を注出させながら注出量を調整することのできる注出容器を提供する【解決手段】内容物を収容する胴部１２と、胴部１２と連通して設けられ先端に注出口１１ａが形成された注出ノズル１１とを備え、容器１０を傾倒させて注出口１１ａから内容物を注出すると共に、注出した内容物の注出量を確認させる機能を有する注出容器１０であって、注出ノズル１１の外側に隣接して、外周壁１４が透明な計量室１３が設けられており、この計量室１３には、容器１０を傾倒させて内容物１６を注出口１１ａから注出させるのに伴って、内容物１６の注出量と略比例する量の検量物１７が流入するようになっており、この計量室１３に流入する検量物１７の流入量を外周壁１４の透明な部分を通して視認できるようにして、注出した内容物１６の注出量を確認させる。【選択図】図１
2010120670.tif 000002
【特許請求の範囲】
【請求項１】
内容物を収容する胴部と、該胴部と連通して設けられ先端に注出口が形成された注出ノズルとを備え、容器を傾倒させて前記注出口から前記内容物を注出すると共に、注出した内容物の注出量を確認させる機能を有する注出容器であって、
前記注出ノズルの外側に隣接して、外周壁の一部又は全部が透明又は半透明の計量室が設けられており、
該計量室には、容器を傾倒させて前記内容物を前記注出口から注出するのに伴って、前記内容物の注出量と略比例する量の検量物が流入するようになっており、
該計量室に流入する検量物の流入量を前記外周壁を通して視認できるようにして、注出した内容物の注出量を確認させる注出容器。
【請求項２】
前記内容物は、粉体、粉粒体、又は液体である請求項１記載の注出容器。
【請求項３】
前記検量物は、前記胴部から前記計量室に流入する内容物自体である請求項１又は２に記載の注出容器。
【請求項４】
容器本体と、該容器本体の上端開口を覆って装着されるキャップとからなり、該容器本体によって前記内容物を収容する胴部が構成されると共に、前記キャップに前記先端に注出口が形成された注出ノズルが設けられている請求項１〜３のいずれかに記載の注出容器。
【請求項５】
前記キャップは、中栓と、前記注出ノズルと、計量カバーとを含んでおり、
前記中栓は、容器が所定の角度に傾倒するまで前記胴部から内容物が流出しないようにする流出制御手段を備えており、前記注出ノズルは、前記中栓から上方に立設して取り付けられており、前記計量カバーは、前記注出ノズルを覆うようにして取り付けられて、一部又は全部が透明又は半透明の前記計量室の前記外周壁を形成する請求項４記載の注出容器。
【発明の詳細な説明】
【技術分野】
【０００１】
本発明は、注出容器に関し、特に、内容物を収容する胴部と、胴部と連通して設けられる注出ノズルとを備え、容器を傾倒させて注出した内容物の注出量を確認させる機能を有する注出容器に関する。
【背景技術】
【０００２】
例えば粉末洗剤や粉末漂白剤等の粉体やその他の流動可能な内容物を、一定量計量して使用させる機能を有する容器やキャップが種々開発されている（例えば、特許文献１参照）。これらの容器やキャップでは、容器を傾けたり容器の胴部を押圧したりすることによって、容器やキャップに設けられた軽量部に所定量の内容物を取り出して計量した後に、再び容器を傾ける等することによって、計量した内容物を注出させるようになっている。
【特許文献１】特開平８−２８２７０２号公報
【発明の開示】
【発明が解決しようとする課題】
【０００３】
上述のような内容物を一定量計量して注出させる容器やキャップでは、例えば片手でも内容物を計量したり注出したりする操作を行うことができるが、その一方で、内容物を計量するために計量部に所定量の内容物を取り出す操作と、計量した内容物を注出させる操作とを、別の操作として２段階で行う必要があることから、使用時に煩わしさを感じる場合がある。このため、内容物を注出させる操作と同時に内容物の注出量を確認できるようにして、内容物を注出させながら注出量を調整することを可能にする新しい容器の開発が要望されている。
【０００４】
本発明は、内容物を注出させる操作と同時に内容物の注出量を確認できるようにして、内容物を注出させながら注出量を調整することのできる注出容器を提供することを目的とする。
【課題を解決するための手段】
【０００５】
本発明は、内容物を収容する胴部と、該胴部と連通して設けられ先端に注出口が形成された注出ノズルとを備え、容器を傾倒させて前記注出口から前記内容物を注出すると共に、注出した内容物の注出量を確認させる機能を有する注出容器であって、前記注出ノズルの外側に隣接して、外周壁の一部又は全部が透明又は半透明の計量室が設けられており、該計量室には、容器を傾倒させて前記内容物を前記注出口から注出するのに伴って、前記内容物の注出量と略比例する量の検量物が流入するようになっており、該計量室に流入する検量物の流入量を前記外周壁を通して視認できるようにして、注出した内容物の注出量を確認させる注出容器を提供することにより、上記目的を達成したものである。
【発明の効果】
【０００６】
本発明の注出容器によれば、内容物を注出させる操作と同時に内容物の注出量を確認できるようにして、内容物を注出させながら注出量を調整することができる。
【発明を実施するための最良の形態】
【０００７】
図１（ａ），（ｂ）に示す本発明の好ましい第１実施形態に係る注出容器１０は、内容物として、例えば粉状又は粉粒状の洗剤を収容する略円筒形状の容器であって、例えば直立させた載置状態から、手で把持して好ましくは９０°以上に傾倒させることにより、図２（ａ）〜（ｃ）に示すように、吐出ノズル１１の先端の注出口１１ａから、内容物１６を注出させることができるようになっている。また、本第１実施形態の注出容器１０は、当該容器１０を傾倒させて内容物１６を注出させる操作を行いながら、内容物１６の注出量を確認できるようにして、内容物の注出量を調整することができるようになっている。
【０００８】
そして、本実施形態の注出容器１０は、内容物を収容する胴部１２と、胴部１２と連通して設けられ先端に注出口１１ａが形成された注出ノズル１１とを備え、容器１０を傾倒させて注出口１１ａから内容物を注出すると共に、注出した内容物の注出量を確認させる機能を有する容器であって、注出ノズル１１の外側に隣接して、外周壁１４の一部又は全部が透明又は半透明の計量室１３が設けられており、この計量室１３には、容器１０を傾倒させて内容物１６を注出口１１ａから注出させるのに伴って、内容物１６の注出量と略比例する量の検量物１７が流入するようになっており、この計量室１３に流入する検量物１７の流入量を外周壁１４の透明又は半透明な部分を通して視認できるようにして、注出した内容物１６の注出量を確認させるようになっている。
【０００９】
また、本第１実施形態の注出容器１０は、容器本体１５と、容器本体１５の上端開口１５ａを覆って装着されるキャップ１８とからなり、容器本体１５によって内容物１６を収容する胴部１２が構成されると共に、キャップ１８に先端に注出口１１ａが形成された注出ノズル１１が設けられている。
【００１０】
さらに、本第１実施形態では、胴部１２に収用された内容物１６を計量室１３にも流入させて、この内容物１６自体を検量物１７として用いるようになっている。
【００１１】
本第１実施形態では、内容物１６を収容する胴部１２構成する容器本体１５は、図１（ａ），（ｂ）に示すように、合成樹脂製の成形品であって、片手で容易に把持できる程度の大きさの、中空の略有底円筒形状を備えている。容器本体１５の上端部には、その周縁部分に平坦な肩部１９を介在させてキャップ装着用の環状リブ２０が上方に突出して設けられており、この環状リブ２０の内側部分には、内容物１６を容器本体１５の内部に投入したり、容器本体１５から取り出したりするための上端開口１５ａとなっている。環状リブ２０には、公知の嵌着機構や螺着機構を介して、キャップ１８が着脱可能に一体として装着されることになる。
【００１２】
容器本体１５の上端部に装着されるキャップ１８もまた、合成樹脂製の成形品であって、本第１実施形態では、図３〜図６に示すように、中栓２１と、注出ノズル１１と、計量カバー２２とを含んで構成されている。
【００１３】
中栓２１は、容器本体１５の環状リブ２０に着脱可能に嵌着等される装着スカート部２１ａと、容器本体１５の上端開口１５ａに重ねて配置される、装着スカート部２１ａの内側の円形の内側開口部２１ｂとからなり、この内側開口部２１ｂには、容器１０が例えば９０°を越える所定の角度に傾倒するまで胴部１３（容器本体１５）の内部から当該内側開口部２１ｂを介して内容物１６が実質的に流出しないようにする、流出制御手段２６が設けられている。
【００１４】
本第１実施形態では、流出制御手段２６は、内側開口部２１ｂを横切るようにして、例えば約６ｍｍ程度の間隔をおいて平行に配置された複数のＬ字断面形状を有する仕切板２３によって構成されている（図３（ａ），（ｂ）、図６参照）。各仕切板２３は、各々、Ｌ字断面形状の角部２３ａを、中栓２１の中心軸Ｘと垂直な面に沿って配置すると共に、当該角部２３ａを中心として、Ｌ字断面形状の例えば約３ｍｍ程度の幅を有する短辺部２３ｂを、中栓２１の中心軸Ｘと垂直な面に対して例えば約２０°程度の角度で下方に傾斜させ、これに伴って、Ｌ字断面形状の例えば約６ｍｍ程度の幅を有する長辺部２３ｃを、中栓２１の中心軸Ｘと平行な面に対して例えば約２０°程度の角度で傾けた状態で、両端を内側開口部２１ｂの開口縁部に支持させて取り付けられている。
【００１５】
これによって、複数の仕切板２３は、一体となって流出制御手段２６を構成し、後述する注出ノズル１１のヒンジ蓋２５の回動方向Ｙによって特定される傾倒方向に容器１０を傾倒させて、内容物１６を注出する際に、容器１０が９０°を越えた後にさらに例えば９０〜１２０°傾倒するまでは、仕切板２３の間隔部分から当該仕切板２３の短辺部２３ｂを乗り越えて内容物１６が実質的に流出するのを抑制し、好ましくは１８０°傾倒させて倒立させた状態となるようにさらに容器１０を傾倒させることによって始めて、内容物１６が仕切板２３の間隔部分から実質的にスムーズに流出するように規制することができるようになっている。
【００１６】
注出ノズル１１は、中栓２１の内側開口部２１ｂの直径よりも相当程度小さな内径を有する、中空の略有底円筒形状を備えている（図４（ａ），（ｂ）、図６参照）。注出ノズル１１は、中栓２１の内側開口部２１ｂと同心状に配置されると共に、流出制御手段２６の仕切板２３に接合されて、当該仕切板２３によって支持された状態で内側開口部２２ｂの中央部分から立設して取り付けられる。これによって、注出ノズル１１の下端開口は、仕切板２３の間隔部分を介して容器本体１５の上端開口１５ａと連通することになる。また、注出ノズル１１の天面部は、円盤状の天面板２４によって覆われていると共に、この天面板２４の中央部分には、注出口１１ａが、ヒンジ蓋２５によって開閉可能な状態で設けられている。
【００１７】
ヒンジ蓋２５は、天面板２４の周縁部をヒンジ部として、回動方向Ｙに回動することにより、注出口１１ａを開閉する。本第１実施形態では、注出口１１ａを開放して内容物１６を注出可能な状態では、ヒンジ蓋２５が邪魔にならないように、回動方向Ｙのヒンジ蓋２５とは反対側に容器１０を傾倒させて内容物１６を注出させることになるため、当該回動方向Ｙのヒンジ蓋２５とは反対側の方向が、容器１０の傾倒方向として特定されることになる。また、上述の中栓２１の内側開口部２１ｂに設けられた複数の仕切板２３は、ヒンジ蓋２５の回動方向Ｙによって特定される傾倒方向を横切るようにして、これと垂直又は略垂直な方向に延設して設けられることになる。
【００１８】
注出ノズル１１に隣接して計量室１３を設けるための計量カバー２２は、本第１実施形態では、その全体が透明な樹脂によって形成され、上端面及び下端面が開口面となった、周面が凸面状に湾曲する略切頭円錐形状を備えている（図５（ａ），（ｂ）、図６参照）。計量カバー２２は、その上端開口面の開口周縁部２２ａを、注出ノズル１１の上端部外周面に設けられた係止段部１１ｂ（図４（ａ）参照）に係止すると共に、その下端開口面の開口周縁部２２ｂを、中栓２１の注出ノズル１１の肩部に設けられた係止段部２１ｃ（図３（ａ）参照）に係止した状態で、注出ノズル１１の周面との間に中空部分を保持して接合されることにより、透明な計量室１３の外周壁１４を注出ノズル１１の全周に亘って形成する。
【００１９】
これによって、注出ノズル１１の周面と計量カバー２２による外周壁１４との間には、計量室１３が形成されることになると共に、この計量室１３は、注出ノズル１１の外側部分において中栓２１の内側開口部２１ｂに設けられた仕切板２３の間隔部分を介して、容器本体１５の上端開口１５ａと連通することになる。したがって、計量室１３には、傾倒方向に容器１０を傾倒させて注出ノズル１１から内容物１６を注出させるのに伴って、内容物１６が、内容物１６の注出量と略比例する量の検量物１７として流入することになる。また、計量室１３に流入した内容物１６（検量物１７）の量を、透明な計量カバー２２による外周壁１４を介して、容易に視認することが可能になる。なお、本第１実施形態では、計量カバー２２に目盛り２２ｃを描いておくことにより、計量室１３に流入した内容物１６（検量物１７）の量を、さらに容易に把握することが可能になる。
【００２０】
そして、上述の構成を有する本第１実施形態の注出容器１０によれば、内容物１６を注出させる操作と同時に内容物１６の注出量を確認できるようにして、内容物１６を注出させながら注出量を容易に調整することが可能になる。
【００２１】
すなわち、本第１実施形態の注出容器１０では、注出ノズル１１の外側に隣接して、外周壁１４が透明となった計量室１３が設けられており、この計量室１３には、容器１０を傾倒させて内容物１６を注出口１１ａから注出させるのに伴って、内容物１６の注出量と略比例する量の検量物１７（内容物１６）が流入するようになっている。したがって、本第１実施形態によれば、この計量室１３に流入する検量物１７の流入量を透明な外周壁１４を通して視認できるので、内容物１６を注出させる操作と同時に、計量室１３内の検量物１７（内容物１６）の流入量を介して内容物１６の注出量を容易に確認することが可能になり、これによって、内容物１６を注出させながら注出量を容易に調整することが可能になる。
【００２２】
図７（ａ），（ｂ）は、本発明の好ましい第２実施形態に係る注出容器３０を示すものである。本第２実施形態の注出容器３０は、上記第１実施形態の注出容器１０と同様に、合成樹脂製の容器本体１５とキャップ３１とからなり、キャップ３１は、図８〜図１０に示すように、中栓３２と、注出ノズル３３と、計量カバー３４とを含ん構成されている。
【００２３】
ここで、中栓３２は、装着スカート部３２ａと、装着スカート部３２ａの内側の円形の内側開口部３２ｂとからなり（図８（ａ）〜（ｃ）、図１１参照）、この内側面開口部３２ｂには、容器３０が例えば９０°を越える所定の角度に傾倒するまで胴部１３（容器本体１５）の内部から当該内側開口部３２ｂを介して内容物１６が実質的に流出しないようにする、流出制御板３５が、流出制御手段２６として設けられている。
【００２４】
本第２実施形態では、流出制御板３５は、中栓３２の内側開口部３２ｂの略全域を覆うようにして取り付けられると共に、中栓２１の中心軸Ｘと垂直な面に対して例えば約２５°程度の角度で、ヒンジ蓋３６（図７，図９参照）の回動方向Ｙによって特定される傾倒方向と反対方向に向けて下方に傾斜した状態で設けられている。また、流出制御板３５は、これの周縁部と内側開口部３２ｂの開口周縁部との間の隙間を、周面壁３５ａによって閉塞した状態で設けられている。さらに流出制御板３５の傾倒方向と反対側の部分には、中央部分にノズル連通開口３７ａが、このノズル連通開口３７ａを挟んだ両側に一対の計量室連通開口３７ｂが、各々開口形成されている。これらによって、容器１０を傾倒させて内容物１６を注出する際に、容器１０を９０°を越えてさらに例えば１３５〜１８０°傾倒させることにより、内容物１６を、ノズル連通開口３７ａを介して注出ノズル３３に流出させると共に、これと略比例する量の内容物１６を、計量室連通開口３７ｂを介して計量室３８に流入させることができるようになっている。
【００２５】
注出ノズル３３は、斜辺が曲線状に湾曲する一対の略３角形状の側板３３ａを、凹状湾曲帯状板３３ｂ及び凸状湾曲帯状板３３ｃを介して連結することにより形成された、上端面及び下端面が開口面として開口する中空箱形形状を備えている（図９（ａ），（ｂ）、図１１参照）。また注出ノズル３３の上端開口面は、内容物１６を注出する注出口３３ｄとなっていると共に、この注出口３３ｄは、ヒンジ蓋３６によって開閉可能に閉塞されるようになっている。さらに、注出ノズル３３の一対の略３角形状の側板３３ａの下辺から下方に延設して、一対の仕切板３８が各々一体として接合されて設けられている。これらの仕切板３８は、注出ノズル３３が中栓３２に一体として取り付けられた際に、ノズル連通開口３７ａと一対の計量室連通開口３７ｂとの間の部分で、その下端辺が流出制御板３５に密着接合されることにより、ノズル連通開口３７ａを介した注出ノズル３３への内容物１６の流路と、計量室連通開口３７ｂを介した計量室３９への内容物１６の流路とを区画するようになっている。
【００２６】
計量カバー３４は、注出ノズル３３を構成する一対の略３角形状の側板３３ａの側面形状と略同様の形状の傾倒方向に沿った断面形状を有する、下端面が開口面として開口する中空箱形形状を備えている（図１０（ａ），（ｂ）、図１１参照）。また計量カバー３４の中空の内部は、容器３０の傾倒方向に沿って配置された内部仕切板４０によって、注出ノズル３３の外周面形状に沿った内周面形状を有するノズル嵌着部４１と、このノズル嵌着部４１を挟んだ両側の計量室３９とに区画されている。さらに、本第２実施形態では、計量カバー３４は、その注出ノズル３３の凹状湾曲帯状板に沿った部分である凹状湾曲面部３４ａが、全体が透明な樹脂によって形成されている一方で、その他の部分は透明ではない樹脂によって形成されている。これによって、計量カバー３４がノズル嵌着部４１によって注出ノズル３３を覆うようにして装着一体化されることにより、注出ノズル３３の外側に隣接して計量カバー３４による計量室３９が設けられた際に、透明な凹状湾曲面３４ａが、計量室３９の外周壁の一部の透明な部分を形成することになる。
【００２７】
さらにまた、本第２実施形態では、計量カバー３４の上端面には、中央の注出口開口４２を挟んだ両側に、一対の天面片４３が取り付けられている。計量カバー３４が注出ノズル３３を覆うようにして装着された際に、一対の天面片４３の間の注出口開口４２に注出ノズル３３の注出口３３ｄが臨んで配置されるようになっている。
【００２８】
そして、本第２実施形態の注出容器３０によっても、容器３０を傾倒させて内容物１６を注出ノズル３３の注出口３３ａから注出させるのに伴って、内容物１６の注出量と略比例する量の検量物１７（内容物１６）が計量室３９に流入するようになっているので、この計量室１３に流入する検量物１７（内容物１６）の流入量を透明な計量カバー３４の凹状湾曲面３４ａを通して視認することにより、上記第１実施形態の注出容器１０と同様の作用効果を奏することになる。
【００２９】
図１２（ａ），（ｂ）は、本発明の好ましい第３実施形態に係る注出容器５０を示すものである。本第３実施形態の注出容器５０では、容器５０を傾倒させて内容物１６を注出ノズル５１の注出口５１ａから注出するのに伴って、計量室５２に流入する内容物１６の注出量と略比例する量の検量物１７が内容物１６自体ではく、他の粉粒状の物質として、例えば微粒ビーズ５３が用いられている。
【００３０】
すなわち、本第３実施形態では、図１３にも示すように、容器本体５４に装着されるキャップ５５には、注出ノズル５１が設けられていると共に、注出ノズル５１を覆って全体が透明な樹脂からなる計量カバー５６を同心状に配置して取り付けることにより、注出ノズル５１の外側に隣接する計量室５２が、注出ノズル５１の全周に亘って形成されている。また本第３実施形態では、キャップ５５の天面部５５ａの下方には、検量物収容室５７が、計量室５２と連通する状態で設けられており、この検量物収容室５７には、例えば微粒ビーズ５３からなる検量物１７が充填収容されている。
【００３１】
そして、本第３実施形態の注出容器５０によっても、容器５０を傾倒させて内容物１６を注出ノズル５１の注出口５１ａから注出させるのに伴って、内容物１６の注出量と略比例する量の検量物１７（微粒ビーズ５３）を計量室３９に流入させ、この計量室１３に流入する検量物１７（微粒ビーズ５３）の流入量を透明な計量カバー５６を通して視認することにより、上記第１実施形態の注出容器１０と同様の作用効果を奏することになる。
【００３２】
図１４（ａ），（ｂ）は、本発明の好ましい第４実施形態に係る注出容器６０を示すものである。本第４実施形態の注出容器６０では、キャップ６１は、図１５にも示すように、中栓６２と、注出ノズル６３と、計量カバー６４とを含ん構成されている。また、本第４実施形態では、注出ノズル６３は、装着スカート部６５と一体として形成されており、この装着スカート部６５を介して容器本体１５に装着されるようになっている。さらに、装着スカート部６５の内側には、中栓６２が取り付けられている。
【００３３】
中栓６２は、リング枠の内側に、上記第１実施形態の流出制御手段２６と同様の、Ｌ字断面形状を有する複数の仕切板６６による流出制御手段６７を設けることによって形成されている。
【００３４】
また、計量カバー６４は、透明な樹脂によって形成された細長いパイプ状の部材であり、その透明な外周面を注出ノズル６３の外周面から見ることができる状態で、注出ノズル６３の内周面に沿って取り付けられている。計量カバー６４は、その下端開口面を流出制御手段６７の仕切板６６に当接載置させると共に、その上端開口面を閉塞させた状態で設けられている。これによって、計量カバー６４は、その内部に計量室６８を形成することになる。計量室６８は、容器６０を傾倒させた際に、仕切板６６の間隔部分を介して容器本体１５から流入する内容物１６を検量物１７として受領する（図１６（ａ），（ｂ）参照）。
【００３５】
そして、本第４実施形態の注出容器６０によっても、容器６０を傾倒させて内容物１６を注出ノズル６３から注出させるのに伴って、内容物１６の注出量と略比例する量の内容物１６を計量室６８に流入させ、この計量室６８に流入する検量物１７（内容物１６）の流入量を透明な計量カバー６４を通して視認することにより、上記第１実施形態の注出容器１０と同様の作用効果を奏することになる。また、本第４実施形態の注出容器６０によれば、計量室６８は、試験管のような細長い形状を備えているので、計量室６８に流入して堆積する検量物１７（内容物１６）の断面積が小さくなり、図１６（ａ），（ｂ）に示すように、容器６０を傾倒させた際の傾き加減に違いがある場合でも、例えば注出ノズル６３の外周面に施した目盛り線６３ａに検量物１７の上端部を合わせやすくなる。これによって、計量室６７に流入する検量物１７の流入量をさらに適切に把握することが可能になる。
【００３６】
なお、本発明は上記実施形態に限定されることなく種々の変更が可能である。例えば、胴部に収容されて注出時に注出量を確認される内容物は、洗剤以外の粉状又は粉粒状の化粧品や食品等であっても良く、液体状のものであっても良い。また、注出容器は、容器本体とキャップとからなるものである必要は必ずしも無く、キャップを介することなく吐出ノズル等が容器本体に直接取り付けられているものであっても良い。
【図面の簡単な説明】
【００３７】
【図１】（ａ）は本発明の好ましい第１実施形態に係る注出容器の斜視図、（ｂ）は注出容器の要部を断面図として示す側面図である。
【図２】（ａ）〜（ｃ）は、本発明の好ましい第１実施形態に係る注出容器を用いて注出量を確認しつつ内容物を注出させる状況を説明する要部側面図である。
【図３】（ａ）は本発明の好ましい第１実施形態に係る注出容器を構成するキャップの中栓の斜視図、（ｂ）は中栓を半分に切欠いた状態で示す斜視図である。
【図４】（ａ）は本発明の好ましい第１実施形態に係る注出容器を構成するキャップの注出ノズルの斜視図、（ｂ）は注出ノズルを半分に切欠いた状態で示す斜視図である。
【図５】（ａ）は本発明の好ましい第１実施形態に係る注出容器を構成するキャップの計量カバーの斜視図、（ｂ）は計量カバーを半分に切欠いた状態で示す斜視図である。
【図６】本発明の好ましい第１実施形態に係る注出容器を構成するキャップを半分に切欠いた状態で示す斜視図である。
【図７】（ａ）は本発明の好ましい第２実施形態に係る注出容器の斜視図、（ｂ）は注出容器の要部を断面図として示す側面図である。
【図８】（ａ）は本発明の好ましい第２実施形態に係る注出容器を構成するキャップの中栓の斜視図、（ｂ）は中栓を半分に切欠いた状態で示す斜視図、（ｃ）は中栓の平面図である。
【図９】（ａ）は本発明の好ましい第２実施形態に係る注出容器を構成するキャップの注出ノズルの斜視図、（ｂ）は注出ノズルを半分に切欠いた状態で示す斜視図である。
【図１０】（ａ）は本発明の好ましい第２実施形態に係る注出容器を構成するキャップの計量カバーの斜視図、（ｂ）は計量カバーを半分に切欠いた状態で示す斜視図である。
【図１１】本発明の好ましい第２実施形態に係る注出容器を構成するキャップを半分に切欠いた状態で示す斜視図である。
【図１２】（ａ）は本発明の好ましい第３実施形態に係る注出容器の斜視図、（ｂ）は注出容器の要部を断面図として示す側面図である。
【図１３】本発明の好ましい第３実施形態に係る注出容器を構成するキャップを半分に切欠いた状態で示す斜視図である。
【図１４】（ａ）は本発明の好ましい第４実施形態に係る注出容器の斜視図、（ｂ）は注出容器の要部を断面図として示す側面図である。
【図１５】本発明の好ましい第４実施形態に係る注出容器を構成するキャップを半分に切欠いた状態で示す斜視図である。
【図１６】（ａ），（ｂ）は、本発明の好ましい第４実施形態に係る注出容器を用いて注出量を確認する状況を説明する要部側面図である。
【符号の説明】
【００３８】
１０，３０，５０，６０  注出容器
１１，３３，５１，６３  注出ノズル
１１ａ，３３ｄ，５１ａ  注出口
１２  胴部
１３，３９，５２，６８  計量室
１４  計量室の外周壁
１５，５４  容器本体
１６  内容物
１７  検量物
１８，３１，５５，６１  キャップ
２１，３２，６２  中栓
２１ａ，３２ａ  中栓の装着スカート部
２１ｂ，３２ｂ  中栓の内側開口部
２２，３４，５６，６４  計量カバー
２３，６６  仕切板
２５，３６  ヒンジ蓋
２６，６７  流出制御手段
３５  流出制御板（流出制御手段）
３７ａ  ノズル連通開口
３７ｂ  計量室連通開口
４２  注出口開口
５３  微粒ビーズ（検量物）
５７  検量物収容室
Ｘ    中栓の中心軸
Ｙ    ヒンジ蓋の回動方向
【図１】
2010120670.tif 000003
【図２】
2010120670.tif 000004
【図３】
2010120670.tif 000005
【図４】
2010120670.tif 000006
【図５】
2010120670.tif 000007
【図６】
2010120670.tif 000008
【図７】
2010120670.tif 000009
【図８】
2010120670.tif 000010
【図９】
2010120670.tif 000011
【図１０】
2010120670.tif 000012
【図１１】
2010120670.tif 000013
【図１２】
2010120670.tif 000014
【図１３】
2010120670.tif 000015
【図１４】
2010120670.tif 000016
【図１５】
2010120670.tif 000017
【図１６】
2010120670.tif 000018